(57)【要約】      （修正有）【課題】筒状表示体を閉じ底板部材を起伏用折り目で山折りして扁平とし、筒状表示体を開き底板部材を起伏用折り目で開いて自立させた広告表示媒体を提供する。【解決手段】表板２および裏板３ａと折り目を有する筒状表示体１と、底板部材１０とからなる広告表示媒体で、底板部材１０は、筒状表示体１の底面下方に位置する起伏用折り目１１を有し、起伏用折り目１１により筒状表示体１の表板側となる前面部１２と裏板側となる後面部１３とに区分され、かつ、起伏用折り目１１により山折りされた状態にて、筒状表示体内１に侵入可能な侵入可能部１４を備え、底板部材１０は、山折りされた侵入可能部１４が筒状表示体１内に侵入した状態において、筒状表示体１の下方に延出した状態となり、さらに、広告表示媒体Ａは、底板部材１０の起伏用折り目１１を開き、底板部材１０が筒状表示体１に対して自立可能である広告表示媒体。【選択図】図１
0003143214.tif 000002
【実用新案登録請求の範囲】
【請求項１】
軸方向に延びる向かい合う両側端が折り目より折曲げられることにより形成された表板および裏板とを有する筒状表示体と、前記筒状表示体の下面に取付けられた底板部材とからなる広告表示媒体であって、
前記底板部材は、前記筒状表示体の底面下方に位置する起伏用折り目を有し、該起伏用折り目により前記筒状表示体の前記表板側となる前面部と前記裏板側となる後面部とに区分され、かつ、前記起伏用折り目により山折りされた状態にて、前記筒状表示体の底面より、該筒状表示体内に侵入可能な侵入可能部を備え、
前記底板部材は、前記底板部材の山折りされた前記起伏用折り目を有する前記侵入可能部が前記筒状表示体内に侵入した状態において、前記筒状表示体の下方に延出した状態となり、さらに、前記広告表示媒体は、前記底板部材の前記起伏用折り目を開き、前記底板部材が前記筒状表示体に対して略直交状とすることにより自立可能であることを特徴とする広告表示媒体。
【請求項２】
前記広告表示媒体は、前記筒状表示体の両側端を近づく方向に押圧すことにより、前記表板と前記裏板間が広がるとともに前記底板部材の前記起伏用折り目が開き、前記底板部材が前記筒状表示体に対して略直交状となることにより自立可能となるものである請求項１に記載の広告表示媒体。
【請求項３】
前記広告表示媒体は、前記筒状表示体の両側端を近づく方向に押圧することにより、前記底板部材の前記前面部と前記後面部が前記起伏用折り目を中心として跳ね上がり、前記表板と前記裏板間が広がることにより前記底板部材が前記筒状表示体に対して略直交状に開くことにより自立可能となるものである請求項１に記載の広告表示媒体。
【請求項４】
前記底板部材の前記侵入可能部の幅は、前記両側端の折り目により折り曲げられた状態の前記筒状表示体の底部の幅より小さいものである請求項１ないし３のいずれかに記載の広告表示媒体。
【請求項５】
前記筒状表示体は、前記表板の下端に設けられた表板側貼着片と、前記裏板の下端に設けられた裏板側貼着片とを有し、前記表板側貼着片および前記裏板側貼着片が前記底板部材に貼着されることにより、前記底板部材は、前記筒状表示体の下面に取付けられている請求項１ないし４のいずれかに記載の広告表示媒体。
【請求項６】
前記底板部材は、前記貼着片を挿入するための挿入孔を有し、前記筒状表示体の前記表板側貼着片または前記裏板側貼着片の少なくとも一方は、前記挿入孔に挿入されかつ折曲げられて前記底板部材の裏面に貼着されている請求項５に記載の広告表示媒体。
【請求項７】
前記筒状表示体の前記表板側貼着片または前記裏板側貼着片の少なくとも一方は、該筒状表示体の内側に折曲げられるとともに、前記底板部材の表面に貼着されている請求項５または６に記載の広告表示媒体。
【請求項８】
前記筒状表示体の前記表板側貼着片または前記裏板側貼着片の少なくとも一方は、該筒状表示体の内側に折曲げられるとともに、前記底板部材の表面に貼着されており、かつ、該貼着片の端部は、前記起伏用折り目を越えて延びかつ前記底板部材に貼着されていない延出部を有している請求項５ないし７のいずれかに記載の広告表示媒体。
【請求項９】
前記底板部材の前記前面部は、前記後面部より長いものとなっている請求項１ないし８のいずれかに記載の広告表示媒体。
【請求項１０】
前記底板部材の前記前面部は、前記筒状表示体より所定長のびる載置部を備えており、該載置部には、メモ帳もしくは付箋紙が備えられている請求項１ないし９のいずれかに記載の広告表示媒体。
【請求項１１】
前記筒状表示体の前記裏板の上端部は、前記表板より突出し、前記裏板部の内面が露出している請求項１ないし１０のいずれかに記載の広告表示媒体。
【請求項１２】
前記筒状表示体の前記表板の上端部は切り欠かれており、前記裏板部の内面が露出している請求項１ないし１１のいずれかに記載の広告表示媒体。
【請求項１３】
軸方向に延びる向かい合う両側端が折り目より折曲げられることにより形成された表板および裏板と、前記表板の下端に設けられた表板側貼着片と、前記裏板の下端に設けられた裏板側貼着片とを有する筒状表示体と、前記表板側貼着片および前記裏板側貼着片により前記筒状表示体に貼着された底板部材とからなる広告表示媒体であって、
前記底板部材は、前記筒状表示体の底面下方に位置する起伏用折り目を有し、該起伏用折り目により前記筒状表示体の前記表板側となる前面部と前記裏板側となる後面部とに区分され、かつ、前記起伏用折り目により山折りされた状態にて、前記筒状表示体の底面より、該筒状表示体内に侵入可能な侵入可能部を備え、
前記底板部材は、前記底板部材の山折りされた前記起伏用折り目を有する前記侵入可能部が前記筒状表示体内に侵入した状態において、前記筒状表示体の下方に延出した状態となり、さらに、前記広告表示媒体は、前記筒状表示体の両側端を近づく方向に押圧することにより、前記底板部材の前記前面部と前記後面部が前記起伏用折り目を中心として跳ね上がり、前記表板と前記裏板間が広がることにより前記底板部材が前記筒状表示体に対して略直交状に開くことにより自立可能となるものであり、
さらに、前記底板部材の前記侵入可能部の幅は、前記両側端の折り目により折り曲げられた状態の前記筒状表示体の底部の幅より小さいものであり、前記底板部材の前記前面部は、前記後面部より長いものとなっており、前記筒状表示体の前記裏板の上端部は、前記表板より突出し、前記裏板部の内面が露出しており、さらに、前記底板部材の前記前面部は、前記筒状表示体より所定長のびる載置部を備えており、該載置部には、メモ帳もしくは付箋紙が備えられていることを特徴とする広告表示媒体。
【請求項１４】
前記底板部材は、前記貼着片を挿入するための挿入孔を有し、前記筒状表示体の前記表板側貼着片または前記裏板側貼着片の少なくとも一方は、前記挿入孔に挿入されかつ折曲げられて前記底板部材の裏面に貼着されている請求項１３に記載の広告表示媒体。
【請求項１５】
前記筒状表示体の前記表板側貼着片または前記裏板側貼着片の少なくとも一方は、該筒状表示体の内側に折曲げられるとともに、前記底板部材の表面に貼着されている請求項１３または１４に記載の広告表示媒体。
【請求項１６】
前記筒状表示体の前記表板側貼着片または前記裏板側貼着片の少なくとも一方は、該筒状表示体の内側に折曲げられるとともに、前記底板部材の表面に貼着されており、かつ、該貼着片の端部は、前記起伏用折り目を越えて延びかつ前記底板部材に貼着されていない延出部を有している請求項１３ないし１５のいずれかに記載の広告表示媒体。
【考案の詳細な説明】
【技術分野】
【０００１】
この考案は、卓上、展示場所等に置いて使用する広告表示媒体に関し、ワンタッチで自立と折り畳み可能とした広告表示媒体に関する。
【背景技術】
【０００２】
従来、この種の立体カレンダー付きメモ帳として、立体カレンダー部とメモ帳から構成され、立体カレンダー部は暦などを表示する表示面を有するとともに最上面と底面に穴を有するペン立て部を有し、メモ帳はメモ用紙片の束と一枚の台紙から構成され、カレンダーをメモ帳の上に一体的に保持させるものがある（特許文献１参照）。
また、展示用表示体として、出願人の出願にかかるもので、筒状体の下端に足板が起伏自在に固着され、筒状体を折り畳む時に下端の折り目より上方へ折り畳まれるものが開示されています（特許文献２参照）。
【０００３】
【特許文献１】特開平０８−０２５８４２号公報
【特許文献２】特開２００５−１０４９８号公報
【考案の開示】
【考案が解決しようとする課題】
【０００４】
特許文献１の立体カレンダー付きメモ帳は、立体カレンダー部は立体であり、またメモ帳の台紙が固定され、折り畳むことができないので、搬送、保管に不都合であった。特許文献２の展示用表示体における筒状体の表板と裏板に設けた足板は、折り畳むときに、折り畳む筒状体の外側に跳ね上がって重なるので、かさばることになり、かつ足板が跳ね上がって折り畳まれるので、メモ帳を備えると折り畳みの邪魔となり、メモ帳、付箋等を足板に備えることはできなかった。
【０００５】
この考案は、このような問題点を解消するために、筒状表示体を閉じ底板部材を起伏用折り目で山折りして扁平としてかさばることなく搬送、保管に便利とし、筒状表示体を広げるとともに底板部材を起伏用折り目を中心として跳ね上げさせてワンタッチで自立させることができる広告表示媒体を提供することを目的とし、さらに、メモ帳、付箋紙などを備えるに便利とした広告表示媒体を提供することを目的とする。
【課題を解決するための手段】
【０００６】
上記目的を達成するものは、以下のものである。
（１）  この考案は、軸方向に延びる向かい合う両側端が折り目より折曲げられることにより形成された表板および裏板とを有する筒状表示体と、前記筒状表示体の下面に取付けられた底板部材とからなる広告表示媒体であって、
前記底板部材は、前記筒状表示体の底面下方に位置する起伏用折り目を有し、該起伏用折り目により前記筒状表示体の前記表板側となる前面部と前記裏板側となる後面部とに区分され、かつ、前記起伏用折り目により山折りされた状態にて、前記筒状表示体の底面より、該筒状表示体内に侵入可能な侵入可能部を備え、
前記底板部材は、前記底板部材の山折りされた前記起伏用折り目を有する前記侵入可能部が前記筒状表示体内に侵入した状態において、前記筒状表示体の下方に延出した状態となり、さらに、前記広告表示媒体は、前記底板部材の前記起伏用折り目を開き、前記底板部材が前記筒状表示体に対して略直交状とすることにより自立可能であることを特徴とする広告表示媒体。
【０００７】
（２）  この考案は、前記広告表示媒体は、前記筒状表示体の両側端を近づく方向に押圧すことにより、前記表板と前記裏板間が広がるとともに前記底板部材の前記起伏用折り目が開き、前記底板部材が前記筒状表示体に対して略直交状となることにより自立可能となるものである前記（１）に記載の広告表示媒体。
（３）  この考案は、前記広告表示媒体は、前記筒状表示体の両側端を近づく方向に押圧することにより、前記底板部材の前記前面部と前記後面部が前記起伏用折り目を中心として跳ね上がり、前記表板と前記裏板間が広がることにより前記底板部材が前記筒状表示体に対して略直交状に開くことにより自立可能となるものである前記（１）に記載の広告表示媒体。
（４）  この考案は、前記底板部材の前記侵入可能部の幅は、前記両側端の折り目により折り曲げられた状態の前記筒状表示体の底部の幅より小さいものである前記（１）ないし前記（３）のいずれかに記載の広告表示媒体。
【０００８】
（５）  この考案は、前記筒状表示体は、前記表板の下端に設けられた表板側貼着片と、前記裏板の下端に設けられた裏板側貼着片とを有し、前記表板側貼着片および前記裏板側貼着片が前記底板部材に貼着されることにより、前記底板部材は、前記筒状表示体の下面に取付けられている前記（１）ないし前記（４）のいずれかに記載の広告表示媒体。
（６）  この考案は、前記底板部材は、前記貼着片を挿入するための挿入孔を有し、前記筒状表示体の前記表板側貼着片または前記裏板側貼着片の少なくとも一方は、前記挿入孔に挿入されかつ折曲げられて前記底板部材の裏面に貼着されている前記（５）に記載の広告表示媒体。
（７）  この考案は、前記筒状表示体の前記表板側貼着片または前記裏板側貼着片の少なくとも一方は、該筒状表示体の内側に折曲げられるとともに、前記底板部材の表面に貼着されている前記（５）または前記（６）に記載の広告表示媒体。
（８）  この考案は、前記筒状表示体の前記表板側貼着片または前記裏板側貼着片の少なくとも一方は、該筒状表示体の内側に折曲げられるとともに、前記底板部材の表面に貼着されており、かつ、該貼着片の端部は、前記起伏用折り目を越えて延びかつ前記底板部材に貼着されていない延出部を有している前記（５）ないし前記（７）のいずれかに記載の広告表示媒体。
【０００９】
（９）  この考案は、前記底板部材の前記前面部は、前記後面部より長いものとなっている前記（１）ないし前記（８）のいずれかに記載の広告表示媒体。
（１０）  この考案は、前記底板部材の前記前面部は、前記筒状表示体より所定長のびる載置部を備えており、該載置部には、メモ帳もしくは付箋紙が備えられている前記（１）ないし前記（９）のいずれかに記載の広告表示媒体。
（１１）  この考案は、前記筒状表示体の前記裏板の上端部は、前記表板より突出し、前記裏板部の内面が露出している前記（１）ないし前記（１０）のいずれかに記載の広告表示媒体。
（１２）  この考案は、前記筒状表示体の前記表板の上端部は切り欠かれており、前記裏板部の内面が露出している前記（１）ないし前記（１１）のいずれかに記載の広告表示媒体。
【００１０】
（１３）  この考案は、軸方向に延びる向かい合う両側端が折り目より折曲げられることにより形成された表板および裏板と、前記表板の下端に設けられた表板側貼着片と、前記裏板の下端に設けられた裏板側貼着片とを有する筒状表示体と、前記表板側貼着片および前記裏板側貼着片により前記筒状表示体に貼着された底板部材とからなる広告表示媒体であって、
前記底板部材は、前記筒状表示体の底面下方に位置する起伏用折り目を有し、該起伏用折り目により前記筒状表示体の前記表板側となる前面部と前記裏板側となる後面部とに区分され、かつ、前記起伏用折り目により山折りされた状態にて、前記筒状表示体の底面より、該筒状表示体内に侵入可能な侵入可能部を備え、
前記底板部材は、前記底板部材の山折りされた前記起伏用折り目を有する前記侵入可能部が前記筒状表示体内に侵入した状態において、前記筒状表示体の下方に延出した状態となり、さらに、前記広告表示媒体は、前記筒状表示体の両側端を近づく方向に押圧することにより、前記底板部材の前記前面部と前記後面部が前記起伏用折り目を中心として跳ね上がり、前記表板と前記裏板間が広がることにより前記底板部材が前記筒状表示体に対して略直交状に開くことにより自立可能となるものであり、
さらに、前記底板部材の前記侵入可能部の幅は、前記両側端の折り目により折り曲げられた状態の前記筒状表示体の底部の幅より小さいものであり、前記底板部材の前記前面部は、前記後面部より長いものとなっており、前記筒状表示体の前記裏板の上端部は、前記表板より突出し、前記裏板部の内面が露出しており、さらに、前記底板部材の前記前面部は、前記筒状表示体より所定長のびる載置部を備えており、該載置部には、メモ帳もしくは付箋紙が備えられていることを特徴とする広告表示媒体。
【００１１】
（１４）  この考案は、前記底板部材は、前記貼着片を挿入するための挿入孔を有し、前記筒状表示体の前記表板側貼着片または前記裏板側貼着片の少なくとも一方は、前記挿入孔に挿入されかつ折曲げられて前記底板部材の裏面に貼着されている前記（１３）に記載の広告表示媒体。
（１５）  この考案は、前記筒状表示体の前記表板側貼着片または前記裏板側貼着片の少なくとも一方は、該筒状表示体の内側に折曲げられるとともに、前記底板部材の表面に貼着されている前記（１３）または前記（１４）に記載の広告表示媒体。
（１６）   この考案は、前記筒状表示体の前記表板側貼着片または前記裏板側貼着片の少なくとも一方は、該筒状表示体の内側に折曲げられるとともに、前記底板部材の表面に貼着されており、かつ、該貼着片の端部は、前記起伏用折り目を越えて延びかつ前記底板部材に貼着されていない延出部を有している前記（１３）ないし前記（１５）のいずれかに記載の広告表示媒体。
【考案の効果】
【００１２】
この考案によれば、筒状表示体の下面に取付けられた底板部材は、起伏用折り目により前面部と後面部とに区分され、前記起伏用折り目により山折りされた状態にて、前記筒状表示体の底面より、該筒状表示体内に侵入可能な侵入可能部を備え、前記底板部材は、前記侵入可能部が前記筒状表示体内に侵入した状態において、前記筒状表示体の下方に延出した状態となり、さらに、前記広告表示媒体は、前記底板部材の前記起伏用折り目を開き、前記底板部材が前記筒状表示体に対して略直交状とすることにより自立可能であるので、前記底板部材が山折りされて前記筒状表示体の下方に延出した状態として、広告表示媒体の全体を扁平にして搬送、保管に便利であり、封筒等に入れて郵送することができ、また、前記筒状表示体の両側端が近づく方向に押圧され表板と裏板との間隔が広げられるとともに前記底板部材の前記起伏用折り目を中心として前面部と後面部が跳ね上がりワンタッチで自立させ、卓上用として使用できる。開いた筒状表示体に鉛筆、ペンなどを立てることができる。
【００１３】
この考案によれば、前記広告表示媒体は、前記筒状表示体の両側端を近づく方向に押圧することにより、前記表板と前記裏板間が広がるとともに前記底板部材の前記起伏用折り目が開き、前記底板部材が前記筒状表示体に対して略直交状となることにより自立可能となるものであるので、前記広告表示媒体は前記筒状表示体の両側端を近づく方向に押圧するだけでワンタッチで自立させ、卓上用として使用できる。
また、前記広告表示媒体は、前記筒状表示体の両側端を近づく方向に押圧することにより、前記底板部材の前記前面部と前記後面部が前記起伏用折り目を中心として跳ね上がり、前記表板と前記裏板間が広がることにより前記底板部材が前記筒状表示体に対して略直交状に開くことにより自立可能となるもので、前記広告表示媒体は前記筒状表示体の両側端を近づく方向に押圧するだけでワンタッチで自立させ、卓上用として使用できる。
この考案によれば、前記底板部材の前記侵入可能部の幅は、前記両側端の折り目により折り曲げられた状態の前記筒状表示体の底部の幅より小さいものであるので、筒状表示体の下部内部に侵入可能部を侵入させた状態で底板部材を起伏させることができる。
【００１４】
この考案によれば、前記筒状表示体は、前記表板側貼着片および前記裏板側貼着片が前記底板部材に貼着されることにより、前記筒状表示体の両側端を近づく方向に押圧するだけで、前記底板部材の前記前面部と前記後面部が前記起伏用折り目を中心として跳ね上がり、自立させることができる。
また、前記底板部材は、前記起伏用折り目より前記後面部の端部側に形成された前記裏面側貼着片を挿入するための挿入孔を有し、前記筒状表示体の前記裏板側貼着片は、前記挿入孔に挿入されかつ後ろ側に折曲げられて前記底板部材の前記後面部の裏面に貼着され、また、前記筒状表示体の前記表板側貼着片は、前記裏板側に折曲げられるとともに、前記底板部材の前記前面部の表面に貼着されているので、前記筒状表示体の両側端を近づく方向に押圧すると裏面側貼着片と表板側貼着片を貼着した前記底板部材の前記前面部と前記後面部が前記起伏用折り目を中心として跳ね上がり、自立させることができる。
さらに、前記筒状表示体の前記表板側貼着片は、前記裏板側に折曲げられるとともに、前記底板部材の前記前面部の表面に貼着されており、かつ、前記表板側貼着片の端部は、前記起伏用折り目を越えて延びかつ前記底板部材に貼着されていない延出部を有しているので、自立時延出部が前記起伏用折り目の上面を抑え、前面部と後面部が折り目で折れ曲がるのを阻止できる。
【００１５】
この考案によれば、前記底板部材の前記前面部は、前記後面部より長いものとなっているので、該前面部を利用して広告でき、またその前面部をメモ帳等の載置部として利用できて便利である。また、前記底板部材の前記前面部は、前記筒状表示体より所定長のびる載置部を備えており、該載置部には、メモ帳もしくは付箋紙が備えられているので、便利であり、折り畳む場合に前面部は下方に展開されるので、メモ帳もしくは付箋紙が邪魔になることがない。
前記筒状表示体の前記裏板の上端部は、前記表板より突出し、前記裏板部の内面が露出しているので、内面を利用して広告できる。
【考案を実施するための最良の形態】
【００１６】
この考案の広告表示媒体を実施するための最良の形態を図面に基づいて説明する。図１はこの考案の広告表示媒体の折り畳んだ状態の斜視図、図２は、同正面図、図３は、同縦断面図、図４は、この考案の広告表示媒体の開いた状態の斜視図、図５は、同縦断面図、図６は、閉じた状態の平面図、図７は、広告表示媒体の閉じた状態の要部縦断面図、図８は、広告表示媒体の開いた状態の平面図、図９は、広告表示媒体の開いた状態の縦断面図、図１０は、筒状表示体の展開正面図、図１１は、底板部材の展開正面図である。
【００１７】
図１ないし図９において、この考案の広告表示媒体Ａは、厚紙、板紙等板状シートで作成された筒状表示体１と前記筒状表示体の下面に取付けられた底板部材１０とからなる。
前記筒状表示体１は、軸方向に延びる向かい合う両側端が折り目４より折曲げられることにより形成された表板２および裏板３とを有する。
図１０において、筒状表示体１は、横長の厚紙、板紙等板状シートで、略同じ大きさの表板２と裏板３が折り目４を介して設けられ、表板２の側端に折り目４を介して前記裏板３に貼着する貼着側片５が設けられている。前記筒状表示体１は、軸方向に延びる向かい合う両側端１ａ、１ｂが折り目４より折曲げられ、貼着側片５が筒状表示体１の前記裏板３の裏面側に接着剤で貼着されて構成される。筒状表示体１の前記表板２と裏板３は広告、宣伝、案内等表示が施される表示面となる。実施例では表板２の前面にカレンダーを印刷してある。
該筒状表示体１の前記表板２と裏板３の下部にはそれぞれ下面中央に表板側貼着片６、裏板側貼着片８が折曲げ用折り目７、９を介して設けられている。
前記筒状表示体１の前記裏板３の上端部は、前記表板２より突出し、前記裏板部の内面３ａが露出している。筒状表示体１の上部は、表板の上部が凹状円弧、裏板の上部が凸状円弧に形成されている。この前記裏板部の内面３ａに広告等を表示することもできる。前記筒状表示体１の前記表板２の上端部は切り欠かれており、前記裏板部の内面が露出している。
前記筒状表示体１の上部は、前記形状に限るものではなく、例えば表板２と裏板３の上部を同じ高さとして、ほぼ真っ直ぐに形成しても良い。
【００１８】
図１１および図７において、底板部材１０は、前記筒状表示体１の表板２より幅狭の矩形状厚紙、板紙等板状シートで、前記筒状表示体１の底面下方に位置する起伏用折り目１１を有し、該起伏用折り目１１により前記筒状表示体１の前記表板側となる前面部１２と前記裏板側となる後面部１３とに区分され、かつ、前記起伏用折り目１１により山折りされた状態にて、前記筒状表示体１の底面より、該筒状表示体１内に侵入可能な侵入可能部１４を備え、前記筒状表示体１の内部に挿入可能としてある。
板状シートの底板部材１０は、起伏用折り目１１が長手方向に対して交叉する方向に設けられ、該起伏用折り目１１を中心として前面部１２と後面部１３が起伏可能に設けられる。該前面部１２と後面部１３を起伏用折り目１１で山折りしたときの上部が前記筒状表示体１の底面より、該筒状表示体１内に侵入可能な侵入可能部１４となる。前記起伏用折り目１１には、起伏用折り目の複数箇所に切れ目１１ａが入れられ、起伏用折り目１１を折曲げやすくしてある。実施例では、切れ目１１ａが起伏用折り目１１の３箇所に等間隔に設けられている。
前記底板部材１０は、折り畳むとき、起伏用折り目１１を中心として山折り可能であり、開くとき、山折りの起伏用折り目１１より前面部１２と後面部１３が跳ね上がり、前記筒状表示体１に対して略直交する方向に開かれて略一直線の水平、或いは「へ」の字状、或いは逆「へ」の字状となる。この状態で、広告表示媒体Ａが卓上等適宜場所に載せられる。
【００１９】
この考案は、軸方向に延びる向かい合う両側端が折り目４より折曲げられることにより形成された表板および裏板とを有する筒状表示体１と、前記筒状表示体１の下面に取付けられた底板部材１０とからなる広告表示媒体であって、
前記底板部材１０は、前記筒状表示体１の底面下方に位置する起伏用折り目１１を有し、該起伏用折り目１１により前記筒状表示体の前記表板側となる前面部１２と前記裏板側となる後面部１３とに区分され、かつ、前記起伏用折り目１１により山折りされた状態にて、前記筒状表示体１の底面より、該筒状表示体内１に侵入可能な侵入可能部１４を備え、
前記底板部材１０は、前記底板部材１０の山折りされた前記起伏用折り目１１を有する前記侵入可能部１４が前記筒状表示体１内に侵入した状態において、前記筒状表示体１の下方に延出した状態となり、さらに、前記広告表示媒体Ａは、前記底板部材１０の前記起伏用折り目１１を開き、前記底板部材１０が前記筒状表示体１に対して略直交状とすることにより自立可能であることを特徴とする。
【００２０】
前記広告表示媒体Ａは、前記筒状表示体１の両側端を近づく方向に押圧すことにより、前記表板２と前記裏板３間が広がるとともに前記底板部材１０の前記起伏用折り目１１が開き、前記底板部材１０が前記筒状表示体１に対して略直交状となることにより自立可能となるものである。
前記広告表示媒体Ａは、前記筒状表示体の両側端を近づく方向に押圧することにより、前記底板部材の前記前面部１２と前記後面部１３が前記起伏用折り目１１を中心として跳ね上がり、前記表板２と前記裏板３間が広がることにより前記底板部材１０が前記筒状表示体１に対して略直交状に開くことにより自立可能となるものである。
【００２１】
前記底板部材１０の前記侵入可能部１４の幅は、前記両側端１ａ、１ｂの折り目４により折り曲げられた状態の前記筒状表示体１の底部の幅より小さいものである。筒状表示体１の下部内部に侵入可能部１４を侵入させた状態で底板部材１０を起伏させることができる。
【００２２】
前記筒状表示体１は、前記表板２の下端に設けられた表板側貼着片６と、前記裏板３の下端に設けられた裏板側貼着片８とを有し、前記表板側貼着片６および前記裏板側貼着片８が前記底板部材１０に貼着されることにより、前記底板部材１０は、前記筒状表示体１の下面に取付けられている。前記表板側貼着片６および前記裏板側貼着片８が前記底板部材１０に貼着されることにより、前記筒状表示体１の両側端１ａ、１ｂを近づく方向に押圧するだけで、前記底板部材の前記前面部と前記後面部が前記起伏用折り目を中心として跳ね上がり、自立させることができる。
【００２３】
前記筒状表示体１の表板２の下部の表板側貼着片６と、裏板３の下部の裏板側貼着片８は矩形状であり、表板側貼着片６の折り目７と裏板側貼着片８の折り目９の位置が前記底板部材１０の起伏用折り目１１から略同じ距離Ｈの位置となるように貼着されるものである（図５参照）。前記表板側貼着片６と裏板側貼着片８の折曲げ用折り目７、９は、前記底板部材の起伏用折り目１１から略同じ距離Ｈの位置とすることにより広告筒状表示体１を開くとき、表板と裏板が平面視で中心線より均等に円弧状に膨出される。底板部材１０上で筒状表示体１は平面視楕円状に開かれて倒れることがなく、その内部に鉛筆、ペン等文房具を立てかけることができる。
【００２４】
前記底板部材１０は、前記貼着片を挿入するための挿入孔１５を有し、前記筒状表示体の前記表板側貼着片６または前記裏板側貼着片８の少なくとも一方は、前記挿入孔１５に挿入されかつ折曲げられて前記底板部材１０の裏面に貼着されている。または、前記筒状表示体１の前記表板側貼着片６または前記裏板側貼着片８の少なくとも一方は、該筒状表示体１の内側に折曲げられるとともに、前記底板部材１０の表面に貼着されている。
【００２５】
図５、図７ないし図９において、前記底板部材１０は、前記起伏用折り目１１より前記後面部１３の端部側に形成された前記裏面側貼着片７を挿入するための挿入孔１５を有し、前記筒状表示体の前記裏板側貼着片８は、前記挿入孔１５に挿入されかつ後ろ側に折曲げられて前記底板部材１０の前記後面部１３の裏面に貼着されている。前記裏板側貼着片８を挿入する挿入孔１５は前記底板部材１０の後面部１３の前記折り目１１より距離Ｈの位置に設けられる（図１１参照）。前記筒状表示体の前記表板側貼着片６は、前記裏板３側に折曲げられるとともに、前記底板部材１０の前記前面部１２の表面に貼着されている。
前記表板２の前記表板側貼着片６は、後ろ側に折曲げられて前記底板部材１０の前面部１２に先端を起伏用折り目１１に合わせて貼着され、前記裏板３の前記裏板側貼着片８は、後ろ側に折曲げられて前記底板部材１０の後面部１３の挿入孔１５に挿入されかつ挿入孔１５から後端までの下面に貼着されている。
前記実施形態では、表板側貼着片６、裏板側貼着片８が筒状表示体１の表板２と裏板３の下面中央の１箇所に設けられ、底板部材１０の起伏用折り目１１の両側の前面部と後面部とに固着してあるが、これに限られるものではなく、筒状表示体１の表板２と裏板３の下面に貼着片６を複数設け、底板部材１０の起伏用折り目１１の両側の前面部と後面部に貼着することもできる。複数の貼着片に対応して底板部材の後面部に複数の挿入孔を設けて挿入して貼着することもできる。
また、前記起伏用折り目１１より前記後面部１３の端部側に挿入孔１５が形成され、前記裏板側貼着片８を挿入し、後ろ側に折曲げられて前記底板部材１０の前記後面部１３の裏面に貼着された場合を示したが、これに限られるものではなく、例えば、前記起伏用折り目１１より前記前面部の端部側に前記表板側貼着片を挿入するための挿入孔を形成し、後ろ側に折曲げられて前記底板部材の前記前面部の裏面に貼着するようにしてもよい。
【００２６】
前記底板部材１０の前記前面部１２は、前記後面部１３より長いものとなっている。
前記底板部材１０の前記前面部１２と後面部１３の長さは、筒状表示体１が倒れないようにするために、少なくとも筒状表示体１を開いた状態で起伏用折り目１１と表板２又は裏板３との間の距離よりも長く設ける。
実施形態では、前記底板部材１０の前記前面部１２の長さが後面部１３の長さより長く設けられて開いた状態の筒状表示体１より前方へ略直角に展開され、また、後面部１３は開いた状態の筒状表示体１より後方に略直角に展開される。
【００２７】
前記底板部材１０の前記前面部１２は、前記筒状表示体１より所定長のびる載置部１７を備えており、該載置部１７には、メモ帳１８もしくは付箋紙が備えられている。底板部材１０にメモ帳もしくは付箋紙等を備えれば、便利である。
長くした前面部１２には、開いた前記筒状表示体１の表板２より前方位置に延出した載置部１７を備え、該載置部１７にメモ帳１６の底面が接着材等で接着されて備えられる。
実施形態では、前記底板部材１０の前記前面部１２の長さを長くした場合を示したが、これに限られるものではなく、例えば前記底板部材１０の前記前面部１２と後面部１３の長さは、ほぼ同じとすることもできる。また、前面部にメモ帳もしくは付箋紙を備えた場合を示して説明したが、前面部に貼着するのはメモ帳もしくは付箋紙に限るものではなく、例えば、料理のレシピ帳、電話帳、アドレス帳などを備えることもでき、或いは長い前面部を広告、宣伝等の表示面として使用することもできる。
【００２８】
図１２ないし図１４は別の実施形態の広告表示媒体を示すもので、図１２は、別の実施形態の広告表示媒体の閉じた状態の要部縦断面図、図１３は、広告表示媒体の開いた状態の平面図、図１４は、広告表示媒体の開いた状態の縦断面図である。
【００２９】
図１２ないし図１４において示す広告表示媒体Ａは、表板側貼着片６、裏板側貼着片８以外は前記実施形態と同じである。
この実施形態では、筒状表示体１の前記表板側貼着片６または前記裏板側貼着片８の少なくとも一方は、該筒状表示体１の内側に折曲げられるとともに、前記底板部材１０の表面に貼着されており、かつ、該貼着片の端部は、前記起伏用折り目１１を越えて延びかつ前記底板部材に貼着されていない延出部６ａを有している。
図１２ないし図１４において示す実施形態では、前記筒状表示体１の前記表板側貼着片６は、前記裏板側に折曲げられるとともに、前記底板部材１０の前記前面部１２の表面に貼着されており、かつ、前記表板側貼着片６の端部は、前記起伏用折り目１１を越えて延びかつ前記底板部材１０に貼着されていない延出部６ａを有している。
この構造としたので、筒状表示体１の両端を近づける方向に押して前記底板部材１０を直角に開くとき、前面部１２に貼着された表板側貼着片６の前面部１２に貼着されていない延出部６ａが回動して前記起伏用折り目１１を越えて延び、後面部１３の上面を抑えることができ、前面部１２と後面部１３が「へ」の字状に折れ曲がるのを阻止できる。
【００３０】
この考案は、軸方向に延びる向かい合う両側端が折り目４より折曲げられることにより形成された表板２および裏板３と、前記表板２の下端に設けられた表板側貼着片６と、前記裏板３の下端に設けられた裏板側貼着片８とを有する筒状表示体１と、前記表板側貼着片６および前記裏板側貼着片８により前記筒状表示体１に貼着された底板部材１０とからなる広告表示媒体Ａであって、
前記底板部材１０は、前記筒状表示体１の底面下方に位置する起伏用折り目１１を有し、該起伏用折り目１１により前記筒状表示体１の前記表板２側となる前面部１２と前記裏板３側となる後面部１３とに区分され、かつ、前記起伏用折り目１１により山折りされた状態にて、前記筒状表示体１の底面より、該筒状表示体１内に侵入可能な侵入可能部１４を備え、
前記底板部材１０は、前記底板部材１０の山折りされた前記起伏用折り目１１を有する前記侵入可能部１４が前記筒状表示体１内に侵入した状態において、前記筒状表示体１の下方に延出した状態となり、さらに、前記広告表示媒体Ａは、前記筒状表示体１の両側端を近づく方向に押圧することにより、前記底板部材１０の前記前面部１２と前記後面部１３が前記起伏用折り目１１を中心として跳ね上がり、前記表板２と前記裏板３間が広がることにより前記底板部材１０が前記筒状表示体１に対して略直交状に開くことにより自立可能となるものであり、
さらに、前記底板部材１０の前記侵入可能部１４の幅は、前記両側端の折り目４により折り曲げられた状態の前記筒状表示体１の底部の幅より小さいものであり、前記底板部材１０の前記前面部１２は、前記後面部１３より長いものとなっており、前記筒状表示体１の前記裏板３の上端部は、前記表板２より突出し、前記裏板部の内面が露出しており、さらに、前記底板部材１０の前記前面部１２は、前記筒状表示体１より所定長のびる載置部１６を備えており、該載置部１６には、メモ帳もしくは付箋紙が備えられていることを特徴とする。
【００３１】
前記底板部材１０は、前記貼着片を挿入するための挿入孔を有し、前記筒状表示体の前記表板側貼着片６または前記裏板側貼着片の少なくとも一方は、前記挿入孔１５に挿入されかつ折曲げられて前記底板部材１０の裏面に貼着されている。または、前記筒状表示体１の前記表板側貼着片６または前記裏板側貼着片の少なくとも一方は、該筒状表示体の内側に折曲げられるとともに、前記底板部材１０の表面に貼着されている。
【００３２】
前記筒状表示体１の前記表板側貼着片６または前記裏板側貼着片の少なくとも一方は、該筒状表示体１の内側に折曲げられるとともに、前記底板部材１０の表面に貼着されており、かつ、該貼着片の端部は、前記起伏用折り目１１を越えて延びかつ前記底板部材に貼着されていない延出部を有している。
この構造としたので、筒状表示体１の両端を近づける方向に押して前記底板部材１０を直角に開くとき、前記のように延出部６ａが回動して前記起伏用折り目１１を越えて延び、後面部１３の上面を抑えることができ、前面部１２と後面部１３が折れ曲がるのを阻止できる。
【００３３】
この考案は前記したように、筒状表示体の下面に取付けられた底板部材は、前記筒状表示体の底面下方に位置する起伏用折り目を有し、該起伏用折り目により前記筒状表示体の前記表板側となる前面部と前記裏板側となる後面部とに区分され、かつ、前記起伏用折り目により山折りされた状態にて、前記筒状表示体の底面より、該筒状表示体内に侵入可能な侵入可能部を備え、前記底板部材は、前記底板部材の山折りされた前記起伏用折り目を有する前記侵入可能部が前記筒状表示体内に侵入した状態において、前記筒状表示体の下方に延出した状態となり、さらに、前記広告表示媒体は、前記底板部材の前記起伏用折り目を開き、前記底板部材が前記筒状表示体に対して略直交状とすることにより自立可能であるので、前記筒状表示体の両側端が近づく方向に押圧され表板と裏板との間隔が広げられるとともに前記底板部材の前記起伏用折り目を中心として前面部と後面部が跳ね上がりワンタッチで自立させ、卓上用として立てかけて使用できる。また、筒状表示体を開いたとき鉛筆、ペンなどを立てることができる。
前記筒状表示体の表板と裏板が近づく方向に押圧されて表板と裏板との間が狭まるとともに前記底板部材が前記起伏用折り目で山折りされて前記筒状表示体の下方に延出した状態となり、広告表示媒体の全体を扁平にして搬送、保管に便利である。広告表示媒体は扁平として封筒等に入れて郵送することができるから便利である  
【００３４】
以上の実施形態を示したが、この考案はこの形態に限定されるものではなく、この考案の要旨を逸脱しない範囲で、種々の形態を実施しうるものである。実施形態の広告表示媒体は卓上用の場合を示したが、これに限られるものではなく、大きくして店頭、室内の広告体などとして使用することもできる。底板部材の前面部には、適宜広告等を施しておくこともできる。
【図面の簡単な説明】
【００３５】
【図１】図１は、この考案の広告表示媒体の折り畳んだ状態の斜視図である。
【図２】図２は、同正面図である。
【図３】図３は、同縦断面図である。
【図４】図４は、この考案の広告表示媒体の開いた状態の斜視図である。
【図５】図５は、同縦断面図である。
【図６】図６は、広告表示媒体の閉じた状態の平面図である。
【図７】図７は、広告表示媒体の閉じた状態の要部縦断面図である。
【図８】図８は、広告表示媒体の開いた状態の平面図である。
【図９】図９は、広告表示媒体の開いた状態の縦断面図である。
【図１０】図１０は、筒状表示体の展開正面図である。
【図１１】図１１は、底板部材の展開正面図である。
【図１２】図１２は、別の実施形態の広告表示媒体の閉じた状態の要部縦断面図である。
【図１３】図１３は、広告表示媒体の開いた状態の平面図である。
【図１４】図１４は、広告表示媒体の開いた状態の縦断面図である。
【符号の説明】
【００３６】
１  表示媒体
２  表板
３  裏板
６  表板側貼着片
６ａ  延出部
７  折曲げ用折り目
８  裏板側貼着片
９  折曲げ用折り目
１０  底板部材
１１  起伏用折り目
１２  前面部
１３  後面部
１４  侵入可能部
１５  挿入孔
１６  載置部
１７  メモ帳
Ａ    広告表示媒体
【図１】
0003143214.tif 000003
【図２】
0003143214.tif 000004
【図３】
0003143214.tif 000005
【図４】
0003143214.tif 000006
【図５】
0003143214.tif 000007
【図６】
0003143214.tif 000008
【図７】
0003143214.tif 000009
【図８】
0003143214.tif 000010
【図９】
0003143214.tif 000011
【図１０】
0003143214.tif 000012
【図１１】
0003143214.tif 000013
【図１２】
0003143214.tif 000014
【図１３】
0003143214.tif 000015
【図１４】
0003143214.tif 000016